【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
カプセル型医療装置を体腔内へ導入する補助具であって、
前記カプセル型医療装置を体腔内へ導入するための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【請求項２】
前記装着部と前記収納部との間に、前記装着部を体腔内へ導入するための体腔内導入部を設けたことを特徴とする請求項１に記載のカプセル型医療装置導入補助具。
【請求項３】
前記収納部に前記装着部を着脱自在に設けたことを特徴とする請求項１に記載のカプセル型医療装置導入補助具。
【請求項４】
カプセル型医療装置を体腔内へ導入する補助具であって、
前記カプセル型医療装置を体腔内へ導入するための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
前記装着部と前記収納部との間に設け、前記装着部を体腔内へ導入するための体腔内導入部と、
を具備したことを特徴とするカプセル型医療装置導入補助具。
【請求項５】
カプセル型医療装置を体腔内へ導入する補助具であって、
気密状態を保ちながら内部に流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【請求項６】
前記カプセル型医療装置を前記装着部に着脱自在に取り付けて前記体腔内導入部を前記体腔内に差し入れ、前記収納部を圧縮操作することにより前記装着部から前記流体と共に前記カプセル型医療装置を射出することを特徴とする請求項４又は５に記載のカプセル型医療装置導入補助具。
【手続補正２】
【補正対象書類名】明細書
【補正対象項目名】０００７
【補正方法】変更
【補正の内容】
【０００７】
本発明は、上記事情に鑑みてなされたもので、カプセル型医療装置を体腔内へ導入するための条件（流体の量など）を一定にし、被検者が寝た状態でも容易にカプセル型医療装置を体腔へ導入することができるカプセル型医療装置導入補助具を提供することを目的とする。
【手続補正３】
【補正対象書類名】明細書
【補正対象項目名】０００８
【補正方法】変更
【補正の内容】
【０００８】
本発明による第１のカプセル型医療装置導入補助具は、カプセル型医療装置を体腔内へ導入する補助具であって、前記カプセル型医療装置を体腔内へ導入するための流体を収納する収納部と、前記収納部に連通して設け、先端側に前記カプセル型医療装置を着脱自在に取り付けて前記収納部に収納されている前記流体と共に、前記カプセル型医療装置を射出可能な装着部と、を具備したことを特徴としている。
本発明による第２のカプセル型医療装置導入補助具は、前記第１のカプセル型医療装置導入補助具において、前記装着部と前記収納部との間に、前記装着部を体腔内へ導入するための体腔内導入部を設けたことを特徴としている。
本発明による第３のカプセル型医療装置導入補助具は、前記第１のカプセル型医療装置導入補助具において、前記収納部に前記装着部を着脱自在に設けたことを特徴としている。
本発明による第４のカプセル型医療装置導入補助具は、カプセル型医療装置を体腔内へ導入する補助具であって、前記カプセル型医療装置を体腔内へ導入するための流体を収納する収納部と、前記収納部に連通して設け、先端側に前記カプセル型医療装置を着脱自在に取り付けて前記収納部に収納されている前記流体と共に、前記カプセル型医療装置を射出可能な装着部と、前記装着部と前記収納部との間に設け、前記装着部を体腔内へ導入するための体腔内導入部と、を具備したことを特徴としている。
本発明による第５のカプセル型医療装置導入補助具は、カプセル型医療装置を体腔内へ導入する補助具であって、気密状態を保ちながら内部に流体を収納する収納部と、前記収納部に連通して設け、先端側に前記カプセル型医療装置を着脱自在に取り付けて前記収納部に収納されている前記流体と共に、前記カプセル型医療装置を射出可能な装着部と、を具備したことを特徴としている。
本発明による第６のカプセル型医療装置導入補助具は、前記第４又は第５のカプセル型医療装置導入補助具において、前記カプセル型医療装置を前記装着部に着脱自在に取り付けて前記体腔内導入部を前記体腔内に差し入れ、前記収納部を圧縮操作することにより前記装着部から前記流体と共に前記カプセル型医療装置を射出することを特徴としている。
【手続補正４】
【補正対象書類名】明細書
【補正対象項目名】０００９
【補正方法】変更
【補正の内容】
【０００９】
本発明のカプセル型医療装置導入補助具は、カプセル型医療装置を体腔内へ導入するための条件（流体の量など）を一定にし、被検者が寝た状態でも容易にカプセル型医療装置を体腔内へ導入することができるという効果を有する。
【手続補正５】
【補正対象書類名】明細書
【補正対象項目名】００１４
【補正方法】変更
【補正の内容】
【００１４】
前記導入補助具１は、前記カプセル型医療装置２を飲み込むための流体３を収納する収納部１１と、この収納部１１に連通して設け、先端側に前記カプセル型医療装置２を着脱自在に取り付けて前記収納部１１に収納されている前記流体３と共に、前記カプセル型医療装置２を射出可能な装着部１２と、を有して構成されている。なお、前記導入補助具１は、前記装着部１２と前記収納部１１との間に、前記装着部１２を体腔内へ導入するための体腔内導入部１３が設けられている。
【手続補正６】
【補正対象書類名】明細書
【補正対象項目名】００２０
【補正方法】変更
【補正の内容】
【００２０】
前記口腔内導入部１３は、変形しないように前記軟性部材により厚く形成され、前記装着部１２を口腔内に導入可能な長さとなっている。この体腔内導入部１３の長さは、前記装着部１２が咽頭付近まで挿入された際に、前記収納部１１が口腔外部に配置されるように、少なくとも口腔内部よりも長く形成されている。なお、口腔の長さは、被験者の年代や性別、個人差により異なる。このため、前記導入補助具１は、例えば、Ｓ，Ｍ，Ｌなどサイズにより異なる長さの体腔内導入部１３を備えた補助具がラインナップされている。
【手続補正７】
【補正対象書類名】明細書
【補正対象項目名】００２１
【補正方法】変更
【補正の内容】
【００２１】
従って、前記導入補助具１は、前記体腔内導入部１３により前記収納部１１を口腔外部より配置できるので、前記収納部１１を握りつぶす（圧縮する）操作がし易くなっている。また、前記導入補助具１は、咽頭付近において前記カプセル型医療装置２を射出できるので、前記カプセル型医療装置２の射出方向がより定まり、前記カプセル型医療装置２に余計な回転が加わらないようになっている。
【手続補正８】
【補正対象書類名】明細書
【補正対象項目名】００２２
【補正方法】変更
【補正の内容】
【００２２】
なお、前記導入補助具１は、前記収納部１１と、前記装着部１２と、前記体腔内導入部１３とが一体的に構成されている。また、図１中において、前記カプセル型医療装置２は、観察方向が射出方向を向くように前記装着部１２に取り付けられているがそれとは逆に図２に示すように観察方向が射出方向と逆向きになるようにカプセル型医療装置２を前記装着部１２に取り付けてもよい。
【手続補正９】
【補正対象書類名】明細書
【補正対象項目名】００２７
【補正方法】変更
【補正の内容】
【００２７】
そして、導入補助具１は、収納部１１から所定の力により流体３が流動（移動）して体腔内導入部１３を介して装着部１２に流入する。このとき、導入補助具１は、上述したように体腔内導入部１３及び装着部１２が厚く形成されているので、これら体腔内導入部１３及び装着部１２の変形が起こらない。
【手続補正１０】
【補正対象書類名】明細書
【補正対象項目名】００３２
【補正方法】変更
【補正の内容】
【００３２】
なお、導入補助具は、図５に示すように体腔内導入部を設けることなく構成してもよい。
図５に示すように導入補助具１Ｃは、収納部１１と装着部１２とを有して構成されている。なお、前記導入補助具１Ｃは、前記収納部１１と、前記装着部１２とが一体的に構成されている。
【手続補正１１】
【補正対象書類名】明細書
【補正対象項目名】００３４
【補正方法】変更
【補正の内容】
【００３４】
図６は本発明の第２実施例に係るカプセル型医療装置導入補助具を示す構成図である。
上記第１実施例は前記収納部１１と、前記装着部１２と、前記体腔内導入部１３とが一体的に構成されているが、第２実施例は収納部にシリンジを用いて構成する。それ以外の構成は上記第１実施例と同様であるので説明を省略し、同一構成には同じ符号を付して説明する。
【手続補正１２】
【補正対象書類名】明細書
【補正対象項目名】００４２
【補正方法】変更
【補正の内容】
【００４２】
上記第１実施例は前記収納部１１と、前記装着部１２と、前記体腔内導入部１３とが一体的に構成されているが、第３実施例は装着部を収納部に着脱自在に構成する。それ以外の構成は上記第１実施例と同様であるので説明を省略し、同一構成には同じ符号を付して説明する。
【手続補正１３】
【補正対象書類名】明細書
【補正対象項目名】００５４
【補正方法】変更
【補正の内容】
【００５４】
［付記］
（付記項１）
カプセル型医療装置を体腔内へ導入する補助具であって、
前記カプセル型医療装置を体腔内へ導入するための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
を具備したことを特徴とするカプセル型医療装置導入補助具。
【手続補正１４】
【補正対象書類名】明細書
【補正対象項目名】００５５
【補正方法】変更
【補正の内容】
【００５５】
（付記項２）
前記装着部と前記収納部との間に、前記装着部を体腔内へ導入するための体腔内導入部を設けたことを特徴とする付記項１に記載のカプセル型医療装置導入補助具。
（付記項３）
前記収納部に前記装着部を着脱自在に設けたことを特徴とする付記項１に記載のカプセル型医療装置導入補助具。
【手続補正１５】
【補正対象書類名】明細書
【補正対象項目名】００６３
【補正方法】変更
【補正の内容】
【００６３】
（付記項１４）
カプセル型医療装置を体腔内へ導入する補助具であって、
前記カプセル型医療装置を体腔内へ導入するための流体を収納する収納部と、
前記収納部に連通して設け、先端側に前記カプセル型医療装置を着脱自在に取り付けて前記収納部に収納されている前記流体と共に、前記カプセル型医療装置を射出可能な装着部と、
前記装着部と前記収納部との間に設け、前記装着部を体腔内へ導入するための体腔内導入部と、
を具備したことを特徴とするカプセル型医療装置導入補助具。
【手続補正１６】
【補正対象書類名】明細書
【補正対象項目名】００６５
【補正方法】変更
【補正の内容】
【００６５】
（付記項１６）
前記カプセル型医療装置を前記装着部に着脱自在に取り付けて前記体腔内導入部を前記口腔内に差し入れ、前記収納部を圧縮操作することにより前記装着部から前記流体と共に前記カプセル型医療装置を射出することを特徴とする付記項１４又は１５に記載のカプセル型医療装置導入補助具。
【手続補正１７】
【補正対象書類名】明細書
【補正対象項目名】００６７
【補正方法】変更
【補正の内容】
【００６７】
１  カプセル型医療装置導入補助具
２  カプセル型医療装置
３  流体
１１  収納部
１２  装着部
１３  体腔内導入部